(57)【要約】      （修正有）【課題】発光ユニットが形成されているコップの半永久的な使用が可能な自家発電型発光コップの提供。【解決手段】透光性を持つガラスまたは合成樹脂からなったコップ本体１００の下端部に発光ダイオード２０１、印刷回路基板２０２、スイッチになった発光ユニット２００を装着して、前記発光ユニットの下部には回転子３１１と固定子３１２の間の誘導作用を通じて電気を発生させる発電機３１０と、前記発電機の回転子に最初入力された回転力を増速して伝達する増速ギアーグループ３２０と、前記発電機を通じて発電した電気を充電する電解コンデンサー３３０からなった発電ユニット３００を位置させて、前記コップ本体の下端部には前記発光ユニットと前記発電ユニットを覆う装着脱装式キャップ４００を具備し、前記キャップの中央部で前記増速ギアーグループの駆動ギアーと繋がれた駆動軸には回転取手を連結する。【選択図】図３
2006345957.tif 000002
【特許請求の範囲】
【請求項１】
透光性を持つガラスまたは合成樹脂からなったコップ本体の下端部に発光ダイオード、印刷回路基板、スイッチになった発光ユニットを装着して前記発光ダイオードを通じて発散される光が外部で映るように構成された発光コップにおいて、
前記発光ユニットの下部には回転子と固定子の間の誘導作用を通じて電気を発生させる発電機と、前記発電機の回転子に最初入力された回転力を増速して伝達する増速ギアーグループと、前記発電機を通じて発電した電気を充電する電解コンデンサーからなった発電ユニットを位置させて前記電解コンデンサーから前記発光ユニットに電源を印加するようにするが、前記コップ本体の下端部には前記発光ユニットと前記発電ユニットを覆ってやる装着脱装式キャップを具備して、前記キャップの中央部で前記増速ギアーグループの駆動ギアーと繋がれた駆動軸が気密するように引き出しされるようにして、前記駆動軸には回転取手を連結したことを特徴にする自家発電式発光コップ。
【請求項２】
前記回転子は永久磁石を多数の領域で分割してＮ極とＳ極が交互に配置されるように構成して、前記固定子は磁極と巻線を前記回転子を成す永久磁石の分割個数と等しい個数で放射状でそれぞれ形成して前記回転子の正／逆回転にかかわらず発電が成り立つように構成したことを特徴とする請求項１に記載の自家発電式発光コップ。
【請求項３】
前記回転取手は前記駆動軸に摺綴可能に繋がれて、前記キャップの下端面一側には前記回転取手が収納される収納ホームが形成されたことを特徴とする請求項１に記載の自家発電式発光コップ。
【請求項４】
前記キャップの外側壁には前記電解コンデンサーに充電されている電気の量を外部で表示するようにしたディスプレイパネルを設置してなったことを特徴とする請求項１に記載の自家発電機式発光コップ。
【発明の詳細な説明】
【技術分野】
【０００１】
本発明は、自家発電型発光コップに関するもで、もっと詳細するように発光ユニットが形成されているコップの下部に発電ユニットを具備して自家発電を通じて発光コップの半永久的な使用を可能にさせたものである。
【背景技術】
【０００２】
一般的な発光コップは、図１示したように透光性を持つガラスまたは合成樹脂からなったコップ本体（１０）の下端部に発光ダイオード（２１）、印刷回路基板（２２）、バッテリー（２３）、スイッチ（２４）からなった発光ユニット（２０）を装着してコップ本体（１０）に飲み物または酒類を注いで飲む時発光するようにすることで、より一味違う感じを与えるようになることができるように構成したことで、主にビールを注いで飲むことができる３００ｃｃ以上の大きいコップに適用されている。
【発明の開示】
【発明が解決しようとする課題】
【０００３】
しかし、このような発光コップは皿洗いが可能になるように発電ユニットをコップ本体の下端部に装着した状態でモールディング処理するようになるのでバッテリーが消尽した場合、これ以上発光コップとしての作用ができない短所があり、このような発光のならないコップは発電ユニットが外部から映るようになるので一般のコップとして使うにも美観が良くなくなって、そのまま廃棄するしかない短所があるようになる。
【０００４】
本発明は上記の問題点を解決するためのもので、その目的はコップ本体下部に装着される発光ユニットでバッテリーを排除して、発光ユニットの下部に回転子と固定子の誘導作用を通じて電気を発生させてこれを電解コンデンサーに充電する発電ユニットを位置させて電解コンデンサーから発光ユニットに電気を供給することができるようにするし、回転子の中心軸と繋がれた回転取手をコップ下部に位置されるようにすることで自家発電を通じて半永久的に発光機能を遂行することができる自家発電型発光コップを提供しようとするものである。
【課題を解決するための手段】
【０００５】
上記目的を達成するために、本発明に係る自家発電発光コップは、透光性を持つガラスまたは合成樹脂になったコップ本体の下端部に発光ダイオード、印刷回路基板、スイッチからなった発光ユニットを装着して前記発光ダイオードを通じて発散される光が外部で映るように構成された発光コップにおいて、
前記発光ユニットの下部には回転子と固定子の間の誘導作用を通じて電気を発生させる発電機と、前記発電機の回転子に最初入力された回転力を増速して伝達する増速ギアーグループと、前記発電機を通じて発電した電気を充電する電解コンデンサーからなった発電ユニットを位置させて前記電解コンデンサーから前記発光ユニットに電源を印加するようにするが、前記コップ本体の下端部には前記発光ユニットと前記発電ユニットを覆ってやる装着脱装式キャップを具備して、前記キャップの中央部で前記増速ギアーグループの駆動ギアーと繋がれた駆動軸が気密するように引き出しされるようにして、前記駆動軸には回転取手を連結して構成する。
【発明の効果】
【０００６】
以上で説明したところのように、本発明はコップ本体に発光ユニットと発電ユニットを皆取り揃えたことで別途のバッテリーなしでも発電ユニットを通じて自家発電させて発光機能を半永久的に遂行することができるし、発電機が正／逆回転に構わずに発電が成り立つように構成されたことで実際の使用の時自分が使うのに楽な方向に回転させることができて使用上便宜性をはかることができるし、発電動作の時回転取手を長く引いて回転させるようになるので必要とする力が少なく誰も易しく使うことができるし、発電をしない時には折って保管するようになるので体積を減らすことができる利点がある。
【発明を実施するための最良の形態】
【０００７】
以下、本発明に係る自家発電を通じて発光コップの好適な実施の形態について、添付の図面に基づいて詳細に説明する。
【０００８】
図２は本発明による自家発電型発光コップの底面斜視図で、図３は本発明による自家発電型発光コップの側断面図であり、図４は本発明による発電ユニットの詳細図で、図５は本発明による発電機の詳細図であり、図６は本発明による回転取手を展開して回転させる時の状態図である。
【０００９】
図示したように、発光コップは基本的に透光性を持つガラスまたは合成樹脂からなったコップ本体（１００）の下端部に発光ダイオード（２０１）、印刷回路基板（２０２）、スイッチ（２０３）からなった発光ユニット（２００）を装着して発光ダイオード（２０１）を通じて発散される光が外部で映るように構成され、この時スイッチ（２０３）はコップ本体（１００）の動きによってボールが回転されながら各電気接点を選択的にスイチングさせるボルスウィチを使うこともでき、タッチされる回数によって各電気接点を選択的にスイチングさせるタッチスイッチを使うこともできて、これ以外にも電気接点をスイチングさせることができる構成なら皆可能である。なお、図面上ではタッチスイッチが適用されたことを例として表示している。
【００１０】
このような発光コップにおいて、本発明では発光ユニット（２００）の下部に回転子（３１１）と固定子（３１２）の間の誘導作用を通じて電気を発生させる発電機（３１０）と、発電機（３１０）の回転子（３１１）に最初入力された回転力を増速して伝達する増速ギアーグループ（３２０）と、発電機（３１０）を通じて発電した電気を充電する電解コンデンサー（３３０）になった発電ユニット（３００）を位置させて電解コンデンサー（３３０）から発光ユニット（２００）に電源を印加することで別途のバッテリーなしに自家発電を通じて発光ダイオード（２０１）を発光させることができるように構成される。
【００１１】
この時、コップ本体（１００）の下端部には発光ユニット（２００）と発電ユニット（３００）を覆ってやる装着脱装式をキャップ（４００）を具備して、キャップ（４００）の中央部で増速ギアーグループ（３２０）の駆動ギアー（３２１）と繋がれた駆動軸（３２１ａ）が気密するように引き出しされるようにして、駆動軸（３２１ａ）には回転取手（３２５）を連結してこの回転取手（３２５）の回転によって発電が成り立つように構成される。
【００１２】
また、本発明に適用される発電機（３１０）の回転子（３１１）は永久磁石（３１１ａ）を多数の領域で分割してＮ極とＳ極が交互に配置されるように構成して、固定子（３１２）は磁極（３１２ａ）と巻線（３１２ｂ）を回転子（３１１）を成す永久磁石（３１１ａ）の分割個数と等しい個数で放射状でそれぞれ形成して回転子（３１１）の正／逆回転にかかわらず発電が成り立つように構成される。
【００１３】
同時に、回転取手（３２５）は駆動軸（３２１ａ）に摺綴可能にするように連結して、キャップ（４００）の下端面一側には回転取手（３２５）が収納される収納ホーム（４０１）を形成して回転取手（３２５）を発電動作の時にだけ引いて使って、その他には折って収納ホーム（４０１）に収納・保管するように構成するようになって、キャップ（４００）の外側壁には電解コンデンサー（３３０）に充電されている電気の量を外部で表示してくれて発電時期を予測するようにするディスプレイパネル（４０２）を設置するようになる。
【００１４】
図面上の符号３２２は発電機（３１０）の回転子（３１１）軸に繋がれている鐘銅ギアーを現わして、３２３、３２４は駆動ギアー（３２１）の回転力を増速させて鐘銅ギアー（３２２）に伝達する連結ギアーを現わす。
【００１５】
このように構成された本発明による自家発電型発光コップは次のような作用をする。先に、キャップ（４００）側壁に形成されているディスプレイパネル（４０２）を通じて電解コンデンサー（３３０）の充電量が充電を要する水準に感知されれば使用者は収納ホーム（４０１）に収容されている回転取手（３２５）を抜き取って覆した状態で回転させるようになって、回転取手（３２５）の回転によって回転取手（３２５）が摺綴可能にように繋がれている駆動軸（３２１ａ）が回転されながら駆動ギアー（３２１）を回転させて、このような駆動ギアー（３２１）の回転力が多数の連結ギアー（３２３）（３２４）を通じて増速されて発電機（３１０）の回転子（３１１）軸に繋がれている鐘銅ギアー（３２２）を回転させる時には非常に早い速度に増速されて、したがって発電機（３１０）の回転子（３１１）が早い速度に回転されながら回転子（３１１）を成す永久磁石（３１１ａ）と固定子（３１２）を成す磁極（３１２ａ）及び巻線（３１２ｂ）の間の誘導作用を通じて発電が十分に成り立つ。
【００１６】
この時、使用者が右利きの場合回転取手（３２５）を正方向で回転させるのがもっと慣れて、左利きの場合逆方向で回転させるのがもっと慣れており、本発明では発電機（３１０）の回転子（３１１）を成す永久磁石（３１１ａ）が多数の領域に分割されてＮ極とＳ極が交互に配置されて、固定子（３１２）を成す磁極（３１２ａ）と巻線（３１２ｂ）が回転子（３１１）を成す永久磁石（３１１ａ）の分割個数と等しい個数に具備されることによって、回転取手（３２５）をどんな方向に回転させても永久磁石（３１１ａ）、磁極（３１２ａ）及び巻線（３１２ｂ）の間で誘導作用が発生されて発電がなだらかに成り立つこととなる。
【００１７】
また、摺綴式の回転取手（３２５）は使用の時には展開すれば良いし、保管の時には折ってその体積を最小化することができるし、回転取手（３２５）を回転させる時回転取手（３２５）の体つきは水平状態を維持しながら回転中心からどの位の距離を維持するようになるので回転動作の時指、手、腕、肩にまでその力を分散させることができるし、したがって使用者がちょっと力が不足だとしても容易く発電動作を遂行することができる。
【００１８】
発電機（３１０）を通じて電気が発生されればこのような電気が電解コンデンサー（３３０）に充電されてから発光ユニット（２００）に自動に印加される状態なのでスイッチ（２０３）を押せば電源が発光ダイオード（２０１）に印加されて発光ダイオード（２０１）が点燈されて、印刷回路基板（２０２）に位置されたマイクロプロセッサーによって発光ダイオード（２０１）がどの位点燈状態を維持してから消燈されるとかどの位の時間の間点滅動作を遂行した後消燈されるなど多様なパターンに制御されることができる。
【００１９】
また、スイッチ（２０３）がコップ本体（１００）の動きによってボールが回転されながら各電気接点を選択的にスイチングさせるボールスイッチで成り立った場合コップ本体（１００）に注がれた飲み物を飲む度に電気接点がスイチングされて消燈状態で点燈されるとか点滅が成り立つようになることで使用者の好奇心を誘発することもできる。
【００２０】
一方、上記と一緒に発光ユニット（２００）を使うによって電解コンデンサー（３３０）に充電されていた電気が消耗すれば適正な時期にまた発電をしてくれて電解コンデンサー（３３０）に電気を充電させてくれなければならないのに、本発明ではキャップ（４００）の側壁上に電解コンデンサー（３３０）に充電されている電気の量を外部で表示してくれるディスプレイパネル（４０２）を設置したことで、このようにすれば使用者がディスプレイパネル（４０２）に表示されている電気の量を肉眼で確認して適正な発電時期を予測することができるし、もし電気の量が非常に少ない状態ならくだんのところのような発電動作を遂行して電解コンデンサー（３３０）に電気を充電させた後また使えば良いでしょう。
【００２１】
上述した説明に基づいて当業者であれば本発明の技術思想を逸脱することなく種々の変更および修正が可能であることは自明である。従って、本発明の技術的範囲は、実施例に記載した内容に限定されるものでなく、特許請求の範囲により定められるべきである。
【図面の簡単な説明】
【００２２】
【図１】図１は従来技術による発光コップの構成である。
【図２】図２は本発明による自家発電型発光コップの底面斜視図である。
【図３】図３は本発明による自家発電型発光コップの側断面図である。
【図４】図４は本発明による発電ユニットの詳細図である。
【図５】図５は本発明による発電機の詳細図である。
【図６】図６は本発明による回転取手を展開して回転させる時の状態図である。
【符号の説明】
【００２３】
１００    コップ本体
２００    発光ユニット
２０１    発光ダイオード
２０２    印刷回路基板
２０３    スイッチ
３００    発電ユニット
３１０    発電機
３１１    回転子
３１１ａ  永久磁石
３１２    固定子
３１２ａ  磁極
３１２ｂ  巻線
３２０    増速ギアーグループ
３２１    駆動ギアー
３２１ａ  駆動軸
３２２    鐘銅ギアー
３２３    連結ギアー
３２４    連結ギアー
３２５    回転取手
３３０    電解コンデンサー
４００    キャップ
４０１    収納ホーム
４０２    ディスプレイパネル
【図１】
2006345957.tif 000003
【図２】
2006345957.tif 000004
【図３】
2006345957.tif 000005
【図４】
2006345957.tif 000006
【図５】
2006345957.tif 000007
【図６】
2006345957.tif 000008